(57)【要約】【課題】  クライアント装置が、サーバ装置が提供可能な、かつ、所望の目的に適うサービスを選択するサービス選択方法、通信システム及びクライアント装置を提供する。【解決手段】  移動通信端末装置１（クライアント装置）は、所望の目的に適うプロファイルを目的別プロファイル一覧２４ａに記憶する。そして、近距離無線プロファイル処理部２３は、目的別プロファイル一覧２４ａに記憶された使用可能なプロファイルと、上記サーバ装置が提供可能なプロファイルとに共通なプロファイルを選択して、選択されたプロファイルに従って上記サーバ装置にサービスを要求する。【選択図】  図２
2006020097.tif 000002
【特許請求の範囲】
【請求項１】
サービスを要求する目的毎に、その目的に適うサービス群を記憶し、
前記目的を識別する情報とサーバ手段を識別する情報とを受信し、
前記受信された目的を検索キーに、前記記憶されたサービス群から前記受信された目的に適う第１のサービス群を検索し、
前記検索された第１のサービス群と、前記サーバ手段が提供する第２のサービス群とに共通なサービスを選択し、
前記受信されたサーバ手段に前記選択されたサービスの提供を要求する
ことを特徴とするサービス選択方法。
【請求項２】
前記サーバ手段毎に、そのサーバ手段が提供するサービス群を記憶し、
前記受信されたサーバ手段を検索キーに、前記記憶されたサービス群から前記受信されたサーバ手段が提供する第２のサービス群を検索し、
前記検索された第１のサービス群と、前記検索された第２のサービス群とに共通なサービスを選択する
ことを特徴とする請求項１に記載のサービス選択方法。
【請求項３】
前記受信されたサーバ手段に問い合わせて、そのサーバ手段が提供する第２のサービス群を受信し、
前記検索された第１のサービス群と、前記受信された第２のサービス群とに共通なサービスを選択する
ことを特徴とする請求項１に記載のサービス選択方法。
【請求項４】
前記サービスを要求する目的毎にその目的に適うサービス群を記憶する際、更に、それらのサービスの優先度を記憶し、
前記選択されたサービスが複数である場合、前記記憶されたサービスの優先度に従ってそれらの複数のサービスからサービスを更に選択する
ことを特徴とする請求項１に記載のサービス選択方法。
【請求項５】
前記サービスを識別する情報を受信し、
前記選択されたサービスが複数である場合、それらの複数のサービスから前記受信されたサービスを更に選択する
ことを特徴とする請求項１に記載のサービス選択方法。
【請求項６】
前記サーバ手段の種別毎に、その種別に適うサービスを記憶し、
前記選択されたサービスが複数である場合、それらの複数のサービスから前記受信されたサーバ手段の種別に適う前記記憶されたサービスを更に選択する
ことを特徴とする請求項１に記載のサービス選択方法。
【請求項７】
サービスを提供するサーバ装置と、前記サーバ装置に前記サービスの提供を要求するクライアント装置とが通信回線を介して接続された通信システムであって、
前記サーバ装置は、
前記サービスの識別情報を受信する手段と、
前記受信された識別情報で識別されるサービスを提供する手段とを有し、
前記クライアント装置は、
前記サービスを要求する目的と、その目的に適う前記サービスとからなる目的別サービス一覧を記憶する手段と、
前記目的を検索キーに前記記憶された目的別サービス一覧から前記目的に適う第１のサービス群を検索して、前記検索された第１のサービス群と前記サーバ装置が提供する第２のサービス群とに共通なサービスを選択する手段と、
前記選択されたサービスの識別情報を前記サーバ装置に送信する手段とを有する
ことを特徴とする通信システム。
【請求項８】
要求されたサービスを提供するサーバ装置と、前記サーバ装置に前記サービスの提供を要求するクライアント装置とが通信回線を介して接続された通信システムのクライアント装置であって、
前記サービスを要求する目的と、その目的に適う前記サービスとからなる目的別サービス一覧を記憶する手段と、
前記目的を検索キーに前記記憶された目的別サービス一覧から前記目的に適う第１のサービス群を検索して、前記検索された第１のサービス群と前記サーバ装置が提供する第２のサービス群とに共通なサービスを選択する手段と、
前記選択されたサービスの提供を前記サーバ装置に要求する手段とを有する
ことを特徴とするクライアント装置。
【発明の詳細な説明】
【技術分野】
【０００１】
本発明は、サービス選択方法、通信システム及びクライアント装置に係り、特に複数のサービスが選択可能な場合の選択処理に関する。
【背景技術】
【０００２】
サービスを要求する装置（以後、クライアント装置と称する。）と、要求されたサービスを提供する装置（以後、サーバ装置と称する。）とが通信網を介して接続された通信システムが知られている。この通信システムにおいて、クライアント装置は、所望の目的に応じて要求するサービスを選択し、サーバ装置に対してそのサービスが提供可能であるか否かを問い合わせる。そして、サーバ装置がそのサービスを提供可能と回答した時に、クライアント装置は、サーバ装置にそのサービスを要求する。
【０００３】
ここで、上記通信網は、有線方式でも良く、また、無線方式でも良い。ブルートゥース（登録商標。Bluetooth）方式による近距離無線通信網を用いて接続された通信システムでは、上記サービスはプロファイルに対応している（例えば、特許文献１参照。）。
【特許文献１】特開２００２−２８１５４６号公報（第２頁、図１）
【発明の開示】
【発明が解決しようとする課題】
【０００４】
しかしながら、上述した特許文献１に開示されている方法では、クライアント装置がサーバ装置にサービスを要求できるのは、クライアント装置が要求する１つのサービスをサーバ装置が提供可能な場合に限られる問題点があった。
【０００５】
本発明は、上記問題点を解決するためになされたもので、クライアント装置が、サーバ装置が提供可能な、かつ、所望の目的に適うサービスを選択するサービス選択方法、通信システム及びクライアント装置を提供することを目的とする。
【課題を解決するための手段】
【０００６】
上記目的を達成するために、本発明のサービス選択方法は、サービスを要求する目的毎に、その目的に適うサービス群を記憶し、前記目的を識別する情報とサーバ手段を識別する情報とを受信し、前記受信された目的を検索キーに、前記記憶されたサービス群から前記受信された目的に適う第１のサービス群を検索し、前記検索された第１のサービス群と、前記サーバ手段が提供する第２のサービス群とに共通なサービスを選択し、前記受信されたサーバ手段に前記選択されたサービスの提供を要求することを特徴とする。
【発明の効果】
【０００７】
本発明によれば、クライアント装置が、サーバ装置が提供可能な、かつ、所望の目的に適うサービスを選択するサービス選択方法、通信システム及びクライアント装置を提供することができる。これによって、クライアント装置が選択した１つのサービスをサーバ装置が提供不可能な場合であっても、クライアント装置は、所望の目的を遂げることができる。
【発明を実施するための最良の形態】
【０００８】
以下に、本発明によるサービス選択方法、通信システム及びクライアント装置の実施の形態を、図面を参照して説明する。図１は、本発明の実施形態に係る通信システムの構成を示すブロック図である。
【０００９】
この通信システムは、本発明の実施形態に係るサービス選択方法が適用され、本発明の実施形態に係るクライアント装置である移動通信端末装置１と、複数のサーバ装置２と、移動通信端末装置１とサーバ装置２とをブルートゥース（Ｒ）方式を用いて接続する近距離無線通信網３とからなる。サーバ装置２は、１台であっても良い。また、近距離無線通信網３は、ブルートゥース（Ｒ）方式を用いると限るものではなく、無線ＬＡＮ方式を用いても良いし、赤外線通信方式を用いても良い。
【００１０】
図２は、移動通信端末装置１の構成を示すブロック図である。この移動通信端末装置１は、装置全体の制御を行う制御部１１と、基地局（図示せず）との間で電波の送受信を行うアンテナ１２ａと、通信部１２ｂと、送受信部１３と、スピーカ１４ａと、マイクロフォン１４ｂと、通話部１４ｃと、利用者からの操作指示を入力する入力装置１５と、利用者へ情報の提示を行う表示部１６と、近距離無線通信の電波の送受信を行うアンテナ２１ａと、近距離無線通信部２１ｂと、近距離無線送受信部２２と、近距離無線プロファイル処理部２３と、目的別プロファイル一覧記憶部２４と、サーバ装置一覧記憶部２５とからなる。
【００１１】
目的別プロファイル一覧記憶部２４には、目的別プロファイル一覧２４ａが記憶される。図３は、目的別プロファイル一覧２４ａの一例を示す。目的別プロファイル一覧２４ａは、要求目的２４ｂと、使用可能プロファイル２４ｃとの組の情報からなる。要求目的２４ｂは、移動通信端末装置１からサーバ装置２に対してサービスを要求する目的であり、使用可能プロファイル２４ｃは、その要求目的２４ｂのために用いることができ、かつ、近距離無線プロファイル処理部２３が処理可能なプロファイル群、即ち、１つ、または、複数のプロファイルである。
【００１２】
図３に示す目的別プロファイル一覧２４ａには、２組の情報が記憶されている。即ち、第１の組の情報は、要求目的２４ｂ「着信通知」と、使用可能プロファイル２４ｃ「ＨＦＰ、ＨＳＰ、ＯＰＰ、ＡＶＲＣＰ」とである。この１組の情報は、「着信通知」の目的に適うプロファイル群は、ＨＦＰ（Hands-Free Profile）、ＨＳＰ（Handset Profile）、ＯＰＰ（Object Push Profile）、及び、ＡＶＲＣＰ（Audio/Video Remote Control Profile）であり、これらのプロファイルの中の任意のプロファイルを用いて要求目的２４ｂ「着信通知」を遂げることができることを示す。
【００１３】
また、第２の組の情報は、要求目的２４ｂ「画像通信」と、使用可能プロファイル２４ｃ「ＢＩＰ、ＯＰＰ、ＦＴＰ」とである。この１組の情報は、「画像通信」の目的に適うプロファイル群は、ＢＩＰ（Basic Image Profile）、ＯＰＰ、及び、ＦＴＰ（File Transfer Profile）であり、これらのプロファイルの中の任意のプロファイルを用いて要求目的２４ｂ「画像通信」を遂げることができることを示す。
【００１４】
サーバ装置一覧記憶部２５には、サーバ装置一覧２５ａが記憶される。図４は、サーバ装置一覧２５ａの一例を示す。サーバ装置一覧２５ａは、サーバ装置識別子２５ｂと、サーバ装置機器名２５ｃと、サーバ装置提供プロファイル２５ｄとの組の情報からなる。サーバ装置識別子２５ｂは、サーバ装置２の識別子である。
【００１５】
また、サーバ装置機器名２５ｃは、上記サーバ装置識別子２５ｂで識別されるサーバ装置２の種別を示す機器名である。更に、サーバ装置提供プロファイル２５ｄは、上記サーバ装置識別子２５ｂで識別されるサーバ装置２が提供するプロファイル群であり、１つ、または、複数のプロファイルである。
【００１６】
図４に示すサーバ装置一覧２５ａには、６組の情報が記憶されている。即ち、第１の組の情報は、サーバ装置識別子２５ｂ「サーバ１」と、サーバ装置機器名２５ｃ「ハンズフリー装置」と、サーバ装置提供プロファイル２５ｄ「ＨＦＰ」とである。この１組の情報は、「サーバ１」なるサーバ装置２は、機器名が「ハンズフリー装置」であり、「ＨＦＰ」プロファイルを提供することを示す。
【００１７】
また、第２の組の情報は、サーバ装置識別子２５ｂ「サーバ２」と、サーバ装置機器名２５ｃ「ハンドセット装置」と、サーバ装置提供プロファイル２５ｄ「ＨＳＰ」とである。この１組の情報は、「サーバ２」なるサーバ装置２は、機器名が「ハンドセット装置」であり、「ＨＳＰ」プロファイルを提供することを示す。
【００１８】
更に、第３の組の情報は、サーバ装置識別子２５ｂ「サーバ３」と、サーバ装置機器名２５ｃ「移動通信端末装置」と、サーバ装置提供プロファイル２５ｄ「ＯＰＰ」とである。この１組の情報は、「サーバ３」なるサーバ装置２は、機器名が「移動通信端末装置」であり、「ＯＰＰ」プロファイルを提供することを示す。
【００１９】
また、第４の組の情報は、サーバ装置識別子２５ｂ「サーバ４」と、サーバ装置機器名２５ｃ「テレビ受像機」と、サーバ装置提供プロファイル２５ｄ「ＡＶＲＣＰ」とである。この１組の情報は、「サーバ４」なるサーバ装置２は、機器名が「テレビ受像機」であり、「ＡＶＲＣＰ」プロファイルを提供することを示す。
【００２０】
更に、第５の組の情報は、サーバ装置識別子２５ｂ「サーバ５」と、サーバ装置機器名２５ｃ「プリンタ装置」と、サーバ装置提供プロファイル２５ｄ「ＢＩＰ」とである。この１組の情報は、「サーバ５」なるサーバ装置２は、機器名が「プリンタ装置」であり、「ＢＩＰ」プロファイルを提供することを示す。
【００２１】
また、第６の組の情報は、サーバ装置識別子２５ｂ「サーバ６」と、サーバ装置機器名２５ｃ「情報処理装置」と、サーバ装置提供プロファイル２５ｄ「ＦＴＰ」とである。この１組の情報は、「サーバ６」なるサーバ装置２は、機器名が「情報処理装置」であり、「ＦＴＰ」プロファイルを提供することを示す。
【００２２】
図５は、サーバ装置２の構成を示すブロック図である。このサーバ装置２は、装置全体の制御を行う制御部３１と、近距離無線通信の電波の送受信を行うアンテナ３２ａと、近距離無線通信部３２ｂと、近距離無線送受信部３３と、近距離無線プロファイル処理部３４とからなる。
【００２３】
上記のように構成された、本発明の実施形態に係る通信システムの各部の動作を、各図を参照して説明する。まず、移動通信端末装置１の各部の動作を、図２を参照して説明する。通信部１２ｂは、アンテナ１２ａを介して受信された高周波信号を送受信部１３に送信する。また、送受信部１３から出力される高周波信号をアンテナ１２ａに送信する。
【００２４】
送受信部１３は、通信部１２ｂからの高周波信号を増幅、周波数変換及び復調し、それによって得たデジタル音声信号を通話部１４ｃまたは近距離無線送受信部２２に送信し、また、制御信号を制御部１１に送信する。更には、通話部１４ｃまたは近距離無線送受信部２２から出力されるデジタル音声信号、及び制御部１１から出力される制御信号を変調、周波数変換及び増幅し、高周波信号を得て、それを通信部１２ｂに送信する。
【００２５】
通話部１４ｃは、送受信部１３から出力されるデジタル音声信号をアナログ音声信号に変換し、それを増幅してスピーカ１４ａに送る。また、マイクロフォン１４ｂが出力するアナログ音声信号を増幅し、それをデジタル音声信号に変換して送受信部１３へ送信する。
【００２６】
入力装置１５は、通信相手の電話番号を指定するための数字キーと複数の機能キーを含むキーからなり、入力装置１５のキーが操作されると、そのキー識別子が制御部１１に通知され、制御部１１によって、表示部１６に文字や数字として表示される。
【００２７】
表示部１６は、例えばＬＣＤの表示部であり、制御部１１に制御されることで、文字・数字や画像データの表示動作を行い、表示されているデータは、入力装置１５からの入力操作や着信信号に応答し、また、制御部１１からの指示を受けることで切換わる。
【００２８】
次に、近距離無線通信部２１ｂは、アンテナ２１ａを介して近距離無線通信網３から受信された近距離無線高周波信号を近距離無線送受信部２２に送信する。また、近距離無線送受信部２２から出力される高周波信号をアンテナ２１ａを介して近距離無線通信網３に送信する。
【００２９】
近距離無線送受信部２２は、近距離無線通信部２１ｂからの高周波信号を増幅、周波数変換及び復調し、それによって得たデジタル信号を近距離無線プロファイル処理部２３または送受信部１３に送信する。更には、近距離無線プロファイル処理部２３または送受信部１３から出力されるデジタル信号を変調、周波数変換及び増幅し、高周波信号を得て、それを近距離無線通信部２１ｂに送信する。
【００３０】
次に、近距離無線プロファイル処理部２３の動作を説明する。図６は、近距離無線プロファイル処理部２３の動作のフローチャートを示す。近距離無線プロファイル処理部２３は、サービスを要求する目的と、サーバ装置２の識別子とを引数に、制御部１１から起動されて動作を開始する（ステップＳ２３ａ）。制御部１１は、後に詳述するように、所定のイベントの発生により、または、利用者が入力装置１５の所定のキーを操作することにより、上記サービスを要求する目的と、サーバ装置２の識別子とを設定する。
【００３１】
そして、近距離無線プロファイル処理部２３は、引数として与えられたサービスを要求する目的と要求目的２４ｂとが等しい情報の組を目的別プロファイル一覧２４ａから検索して、その目的を遂げるための使用可能プロファイル２４ｃを得る（ステップＳ２３ｂ）。
【００３２】
続いて、近距離無線プロファイル処理部２３は、引数として与えられたサーバ装置２の識別子とサーバ装置識別子２５ｂとが等しい情報の組をサーバ装置一覧２５ａから検索して、そのサーバ装置２が提供するサーバ装置提供プロファイル２５ｄを得る（ステップＳ２３ｃ）。
【００３３】
なお、ステップＳ２３ｃで、近距離無線プロファイル処理部２３は、上記サーバ装置２にＳＤＰ（Service Discovery Application Profile）プロファイルを実行することによって問い合わせて、そのサーバ装置２のサーバ装置機器名２５ｃと、サーバ装置提供プロファイル２５ｄとの回答を受信しても良い。
【００３４】
そして、近距離無線プロファイル処理部２３は、ステップＳ２３ｂで得た使用可能プロファイル２４ｃと、ステップＳ２３ｃで得たサーバ装置提供プロファイル２５ｄとの双方に含まれるプロファイルが存在するか否かを調べる（ステップＳ２３ｄ）。続いて、上記双方に含まれるプロファイルが複数ある場合、近距離無線プロファイル処理部２３は、それらのプロファイルから１つのプロファイルを更に選択する（ステップＳ２３ｅ）。
【００３５】
その更に選択する基準には、以下の基準が単独で、または、組み合わせて用いられる。第１の基準は、使用可能プロファイル２４ｃに、プロファイルとそのプロファイルの優先度とを記憶させ、例えば、より好ましいプロファイルから順に記憶させ、より優先度が高いと記憶されたプロファイルを上記双方に含まれるプロファイルから選択する。
【００３６】
第２の基準は、ステップＳ２３ａで近距離無線プロファイル処理部２３が起動される時の引数にプロファイルを含め、引数で指定されたプロファイルを上記双方に含まれるプロファイルから選択する。更に、引数に複数のプロファイルと、それらのプロファイルの優先度を含め、上記双方に含まれるプロファイルから上記優先度が最も高いプロファイルを選択しても良い。
【００３７】
第３の基準は、サーバ装置提供プロファイル２５ｄに、プロファイルとそのプロファイルの優先度とを記憶させ、例えば、より好ましいプロファイルから順に記憶させ、より優先度が高いと記憶されたプロファイルを上記双方に含まれるプロファイルから選択する。
【００３８】
第４の基準は、サーバ装置機器名２５ｃと、そのサーバ装置機器名２５ｃに適うプロファイルとの対応表（図示せず）を事前に近距離無線プロファイル処理部２３内に記憶し、ステップＳ２３ｃで検索して得られた情報のサーバ装置機器名２５ｃを検索キーに上記対応表から上記対応表に記憶されたプロファイルを検索する。
【００３９】
そして、その対応表に記憶されたプロファイルを上記双方に含まれるプロファイルから選択する。更に、上記対応表にサーバ装置機器名２５ｃと、複数のプロファイルと、それらのプロファイルの優先度とを記憶し、上記双方に含まれるプロファイルから上記優先度が最も高いプロファイルを選択しても良い。
【００４０】
次に、近距離無線プロファイル処理部２３は、近距離無線送受信部２２を経由してサーバ装置２との間で近距離無線通信を行って選択されたプロファイルを実行して（ステップＳ２３ｆ）、動作を終了する（ステップＳ２３ｇ）。
【００４１】
一方、ステップＳ２３ｄで、上記双方に含まれるプロファイルが１つだけある場合、近距離無線プロファイル処理部２３は、そのプロファイルを実行して（ステップＳ２３ｆ）、動作を終了する（ステップＳ２３ｇ）。また、ステップＳ２３ｄで、上記双方に含まれるプロファイルがない場合、近距離無線プロファイル処理部２３は、動作を終了する（ステップＳ２３ｇ）。
【００４２】
引数で与えられた目的が「着信通知」であり、ステップＳ２３ｄ及びステップＳ２３ｅで選択されたプロファイルが「ＨＦＰ」である場合、近距離無線プロファイル処理部２３は、ステップＳ２３ｆで着信の通知の動作を含む、ハンズフリー通話の動作を実行する。
【００４３】
また、引数で与えられた目的が「着信通知」であり、ステップＳ２３ｄ及びステップＳ２３ｅで選択されたプロファイルが「ＨＳＰ」である場合、近距離無線プロファイル処理部２３は、ステップＳ２３ｆで着信の通知の動作を含む、ヘッドセット通話の動作を実行する。
【００４４】
更に、引数で与えられた目的が「着信通知」であり、ステップＳ２３ｄ及びステップＳ２３ｅで選択されたプロファイルが「ＯＰＰ」である場合、近距離無線プロファイル処理部２３は、ステップＳ２３ｆで表題部（Subject）に「着信あり」なる文字を設定した電子メールをオブジェクトとして送信する。
【００４５】
また、引数で与えられた目的が「着信通知」であり、ステップＳ２３ｄ及びステップＳ２３ｅで選択されたプロファイルが「ＡＶＲＣＰ」である場合、近距離無線プロファイル処理部２３は、ステップＳ２３ｆで「ＡＶＲＣＰ」プロファイルのユーザ情報領域に「着信あり」なる文字を設定した信号を送信する。
【００４６】
更に、引数で与えられた目的が「画像通信」であり、ステップＳ２３ｄ及びステップＳ２３ｅで選択されたプロファイルが「ＢＩＰ」である場合、近距離無線プロファイル処理部２３は、ステップＳ２３ｆで画像を通信する装置との間で通信する画像ファイル（図示せず）の解像度などの設定を行った上で、画像通信の動作を実行する。
【００４７】
また、引数で与えられた目的が「画像通信」であり、ステップＳ２３ｄ及びステップＳ２３ｅで選択されたプロファイルが「ＯＰＰ」である場合、近距離無線プロファイル処理部２３は、ステップＳ２３ｆで画像ファイルをオブジェクトとして通信する。通信するファイルが画像であることは、画像ファイルに付されたファイル名の拡張子で表される。
【００４８】
更に、引数で与えられた目的が「画像通信」であり、ステップＳ２３ｄ及びステップＳ２３ｅで選択されたプロファイルが「ＦＴＰ」である場合、近距離無線プロファイル処理部２３は、ステップＳ２３ｆで画像ファイルを通信する。通信するファイルが画像であることは、画像ファイルの通信の際に付されたファイル名の拡張子で表される。
【００４９】
次に、サーバ装置２の各部の動作を、図５を参照して説明する。近距離無線通信部３２ｂは、アンテナ３２ａを介して近距離無線通信網３から受信された近距離無線高周波信号を近距離無線送受信部３３に送信する。また、近距離無線送受信部３３から出力される高周波信号をアンテナ３２ａを介して近距離無線通信網３に送信する。
【００５０】
近距離無線送受信部３３は、近距離無線通信部３２ｂからの高周波信号を増幅、周波数変換及び復調し、それによって得たデジタル信号を近距離無線プロファイル処理部３４に送信し、また、制御信号を制御部３１に送信する。更には、近距離無線プロファイル処理部３４から出力されるデジタル信号、及び制御部３１から出力される制御信号を変調、周波数変換及び増幅し、高周波信号を得て、それを近距離無線通信部３２ｂに送信する。
【００５１】
次に、近距離無線プロファイル処理部３４の動作を説明する。図７は、近距離無線プロファイル処理部３４の動作のフローチャートを示す。近距離無線プロファイル処理部３４は、制御部３１に起動されて動作を開始する（ステップＳ３４ａ）。そして、まず、移動通信端末装置１から通知されたプロファイルの識別子を受信し（ステップＳ３４ｂ）、受信された識別子によって識別されるプロファイルを実行して（ステップＳ３４ｃ）、動作を終了する（ステップＳ３４ｄ）。
【００５２】
ステップＳ３４ｂで受信されたプロファイルが「ＳＤＰ」であれば、近距離無線プロファイル処理部３４は、ステップＳ３４ｃで自装置のサーバ装置機器名２５ｃと、自装置のサーバ装置提供プロファイル２５ｄとを回答する。
【００５３】
また、ステップＳ３４ｂで受信されたプロファイルが「ＨＦＰ」でありサーバ装置２がハンズフリー装置であれば、近距離無線プロファイル処理部３４は、ステップＳ３４ｃで通話部（図示せず）、スピーカ（図示せず）、及び、マイクロフォン（図示せず）を用いて着信通知を含むハンズフリー通話の動作を行う。
【００５４】
更に、ステップＳ３４ｂで受信されたプロファイルが「ＨＳＰ」でありサーバ装置２がハンドセット装置であれば、近距離無線プロファイル処理部３４は、ステップＳ３４ｃで通話部（図示せず）、スピーカ（図示せず）、及び、マイクロフォン（図示せず）を用いて着信通知を含むハンドセット通話の動作を行う。
【００５５】
また、ステップＳ３４ｂで受信されたプロファイルが「ＯＰＰ」でありサーバ装置２が移動通信端末装置であれば、近距離無線プロファイル処理部３４は、ステップＳ３４ｃでオブジェクトを受信して、その受信されたオブジェクトが電子メールであると判定した場合、その電子メールの表題部に記憶された文字を表示部（図示せず）に表示する。一方、そのオブジェクトが画像情報であると判定した場合、その画像情報を表示部に表示する。
【００５６】
更に、ステップＳ３４ｂで受信されたプロファイルが「ＡＶＲＣＰ」でありサーバ装置２がテレビ受像機であれば、近距離無線プロファイル処理部３４は、ステップＳ３４ｃでユーザ情報領域を受信して、その受信されたユーザ情報領域に文字が記憶されていれば、その文字をテレビ画像表示部（図示せず）に表示する。
【００５７】
また、ステップＳ３４ｂで受信されたプロファイルが「ＢＩＰ」でありサーバ装置２がプリンタ装置であれば、近距離無線プロファイル処理部３４は、ステップＳ３４ｃで画像情報を受信して、その受信された画像情報を印刷部（図示せず）から印刷する。
【００５８】
更に、ステップＳ３４ｂで受信されたプロファイルが「ＦＴＰ」でありサーバ装置２が情報処理装置であれば、近距離無線プロファイル処理部３４は、ステップＳ３４ｃでファイルを通信して、そのファイルの通信の際に付されたファイル名からそのファイルが画像情報であると判定し、かつ、その通信がファイルの受信である場合、その画像情報を表示部（図示せず）に表示する。
【００５９】
上記のように構成された、本発明の実施形態に係わる通信システムの動作を説明する。図８は、本発明の実施形態に係わる通信システムの動作のシーケンスを示す。この通信システムの動作は、移動通信端末装置１の制御部１１がサービスを要求する目的を生成することによって開始される（ステップＳ１１ａ）。
【００６０】
即ち、制御部１１は、所定のイベントと、サービスを要求する目的との組の情報を制御部１１内の所定の記憶部に記憶し、その所定のイベントの発生に従ってその要求する目的を生成する。また、上記組の情報には、更に、上記目的を遂げるためのプロファイルを記憶しても良い。また、制御部１１は、利用者が入力装置１５の所定のキーを操作することによって、その操作に従って要求する目的を生成する。このキー操作によって、更に、上記目的を遂げるためのプロファイルが指定されるとしても良い。
【００６１】
前者のイベントの発生による要求する目的の生成の例として、着信のイベントの発生の際の、所定のサーバ装置２に着信通知を要求する目的の生成がある。また、後者の利用者のキー操作により要求する目的の生成の例として、利用者が画像ファイルを所望のサーバ装置２に送信する指示の操作を行った際の、画像送信を要求する目的の生成がある。
【００６２】
続いて、移動通信端末装置１は、上記生成された要求する目的を遂げるための使用可能プロファイル２４ｃを検索し（図６のステップＳ２３ｂ）、上記サーバ装置２のサーバ装置提供プロファイル２５ｄを検索する（図６のステップＳ２３ｃ）。この際、サーバ装置機器名２５ｃとサーバ装置提供プロファイル２５ｄとをＳＤＰプロファイルによってサーバ装置２に問い合わせても良い。この問い合わせに対して、サーバ装置２は、そのＳＤＰプロファイルを実行して、自装置のサーバ装置機器名２５ｃとサーバ装置提供プロファイル２５ｄとを回答する（図７のステップＳ３４ｂ、Ｓ３４ｃ）。
【００６３】
続いて、移動通信端末装置１は、使用するプロファイルを選択し（図６のステップＳ２３ｄ、Ｓ２３ｅ）、上記要求する目的を、選択されたプロファイルに従ってサーバ装置２にサービスを要求する（図６のステップＳ２３ｆ）。サーバ装置２は、このプロファイルを実行し、上記要求する目的を遂げる（図７のステップＳ３４ｂ、Ｓ３４ｃ）。
【００６４】
以上の説明では、移動通信端末装置１は、１つの目的に対して、１つのサーバ装置２に１つのサービスを要求するとしたが、これに限るものではない。複数のサーバ装置２にサービスを要求しても良い。この場合、移動通信端末装置１は、複数のサーバ装置２のそれぞれに対して適切なプロファイルを選択して、選択されたプロファイルに従って複数のサーバ装置２にサービスを要求する。
【００６５】
また、以上の説明は、本発明のサービス選択方法を移動通信端末装置１に適用した形態を例にとって行ったが、本発明のサービス選択方法は、ＰＤＡ（Personal Digital Assistant）、パソコン、家電製品など、通信を行うあらゆる装置に適用することも当然に可能である。本発明は以上の構成に限定されるものではなく、種々の変形が可能である。
【図面の簡単な説明】
【００６６】
【図１】本発明の実施形態に係る通信システムの構成を示すブロック図。
【図２】本発明の実施形態に係る移動通信端末装置の構成を示すブロック図。
【図３】本発明の実施形態に係る目的別プロファイル一覧の一例を示す図。
【図４】本発明の実施形態に係るサーバ装置一覧の一例を示す図。
【図５】本発明の実施形態に係るサーバ装置の構成を示すブロック図。
【図６】本発明の実施形態に係る移動通信端末装置の近距離無線プロファイル処理部の動作を示すフローチャート。
【図７】本発明の実施形態に係るサーバ装置の近距離無線プロファイル処理部の動作を示すフローチャート。
【図８】本発明の実施形態に係る通信システムの動作を示すシーケンス図。
【符号の説明】
【００６７】
１  移動通信端末装置
２  サーバ装置
３  近距離無線通信網
１１  制御部
１５  入力装置
１６  表示部
２３  近距離無線プロファイル処理部
２４  目的別プロファイル一覧記憶部
２４ａ  目的別プロファイル一覧
２４ｂ  要求目的
２４ｃ  使用可能プロファイル
２５  サーバ装置一覧記憶部
２５ａ  サーバ装置一覧
２５ｂ  サーバ装置識別子
２５ｃ  サーバ装置機器名
２５ｄ  サーバ装置提供プロファイル
３４  近距離無線プロファイル処理部
【図１】
2006020097.tif 000003
【図２】
2006020097.tif 000004
【図３】
2006020097.tif 000005
【図４】
2006020097.tif 000006
【図５】
2006020097.tif 000007
【図６】
2006020097.tif 000008
【図７】
2006020097.tif 000009
【図８】
2006020097.tif 000010